(57)【特許請求の範囲】
【請求項１】
経時的に被測定データを取り込む入力部と、取り込まれた被測定データを予め設定されている基準ラインと共に波形データとして表示画面に経時的に出力表示する表示器と、前記表示画面に出力表示されている画面情報をリアルタイムで印字出力するプリンタと、これら構成各部を統括して演算制御する中央処理手段とを少なくとも備える波形記録計において、
前記プリンタを介して実行される印字出力は、記録紙に対し前記表示画面に経時的に出力表示される波形データを印字波形とし、任意に設定される基準ラインを印字ラインとすることにより時間軸方向に連続印字して行うとともに、前記記録紙には、印字ラインが示すレベルを基準電圧値として一定間隔をおいて同時に出力することを特徴とする波形記録計における被測定データの印字方法。
【請求項２】
前記印字ラインは、相互の視別が自在な上下二本として記録紙に印字出力することを特徴とする請求項１記載の波形記録計における測定データの印字方法。
【発明の詳細な説明】
【０００１】
【発明の属する技術分野】
本発明は、波形記録計に取り込まれた時系列測定値としての波形データを予め設定されている基準電圧レベルなどの基準ラインと共にＣＲＴなどの表示器に表示すると同時に、基準ラインを伴った波形データをリアルタイムで記録紙にも連続印字する波形記録計における測定データの印字方法に関するものである。
【０００２】
【従来の技術】
通常、波形記録計に取り込まれた時系列測定値としての波形データは、ＣＲＴなどの表示器に表示させることができるほか、プリンタを介してリアルタイムで記録紙にも同時に印字して出力させることができる。
【０００３】
図４は、上記波形記録計における表示器への表示パターンと、記録紙への印字パターンとの相関関係についての従来例を示す説明図であり、このうち、図４（ａ）は表示器１の表示画面１ａに基準ラインＬ1 ，Ｌ2 と共に波形データＤとして示される時系列測定データの表示パターンを、図４（ｂ）はプリンタ２を介して記録紙２ａに印字出力される前記波形データＤに対応する印字波形Ｗの印字パターンをそれぞれ示す。
【０００４】
【発明が解決しようとする課題】
ところで、上記従来手法によっても、表示器１の表示画面１ａに現に表示されている波形データＤは、プリンタ２を介して記録紙２ａに印字波形Ｗとしてリアルタイムで印字することはできる。
【０００５】
しかし、この場合、表示器１の表示画面１ａには、波形データＤのほか、予め設定されている基準電圧レベルを示す２本の基準ラインＬ1 ，Ｌ2 も同時に表示されているにもかかわらず、記録紙２ａには、上記基準ラインＬ1 ，Ｌ2 が消去された状態のもとで波形データＤに対応する印字波形Ｗのみが印字出力されることになる。
【０００６】
このため、従来手法による場合には、時系列測定値である波形データＤと基準ラインＬ1 ，Ｌ2 との間の相互関係を事後的に記録紙２ａ上で目視確認することができず、例えばある時系列測定値が予め設定してある基準電圧値を越えた時刻やその回数などを判別する観測作業を煩雑化する不都合があった。
【０００７】
本発明は従来技術にみられた上記課題に鑑み、表示画面に時系列測定値として表示されている波形データと基準ラインとを記録紙にもリアルタイムで印字出力することができる波形記録計における測定データの印字方法を提供することにその目的がある。
【０００８】
【課題を解決するための手段】
本発明は上記目的を達成すべくなされたものであり、その構成上の特徴は、経時的に被測定データを取り込む入力部と、取り込まれた被測定データを予め設定されている基準ラインと共に波形データとして表示画面に経時的に出力表示する表示器と、前記表示画面に出力表示されている画面情報をリアルタイムで印字出力するプリンタと、これら構成各部を統括して演算制御する中央処理手段とを少なくとも備える波形記録計において、
前記プリンタを介して実行される印字出力は、記録紙に対し前記表示画面に経時的に出力表示される波形データを印字波形とし、任意に設定される基準ラインを印字ラインとすることにより時間軸方向に連続印字して行うとともに、前記記録紙には、印字ラインが示すレベルを基準電圧値として一定間隔をおいて同時に出力することにある。
【０００９】
【発明の実施の形態】
図１は、本発明の実施に供される波形記録計の概略構成を示すブロック図であり、波形記録計１１の全体は、入力端子Ｔを介して経時的に被測定データを取り込む入力部（Ａ／Ｄ変換器を含む）１２と、取り込まれた被測定データを経時的に出力表示するＣＲＴなどからなる表示器１３と、該表示器１３に出力表示される画面情報をリアルタイムで印字出力するプリンタ１４と、これら構成各部を統括して演算制御する中央処理手段（ＣＰＵ）１５とを少なくとも備えて構成されている。
【００１０】
この場合、経時的に取り込まれた被測定データ（時系列測定値）は、中央処理手段１５での演算処理を経ることにより、図２（ａ）に示されるように予め設定されている基準ラインＬ1 ，Ｌ2 や図示しない格子状区画線と共に例えば縦軸が電圧値で横軸が時間軸である波形データＤとして表示器１３の表示画面１３ａ上に連続表示される。
【００１１】
一方、前記プリンタ１４を介して実行される印字出力は、中央処理手段１５からの出力指示を受け、図２（ｂ）に示されるように表示画面１３ａに表示されている波形データＤは印字波形Ｗとして、基準ラインＬ1 ，Ｌ2 は印字ラインＢ1，Ｂ2としてそれぞれリアルタイムに記録紙１４ａに対し時間軸方向、つまり記録紙１４ａの送出方向に沿わせて連続印字することにより行われる。
【００１２】
図３は、図２（ｂ）に示されている記録紙１４ａへの印字出力状態を拡大して詳細に示す説明図であり、表示画面１３ａに表示されている基準ラインＬ1 ，Ｌ2 に対応する印字ラインＢ1 ，Ｂ2 は、相互の視別が自在なラインパターンのもとで印字出力されている。
【００１３】
具体的には、例えば印字ラインＢ1 の側を破線とし、印字ラインＢ2 の側を一点鎖線とするほか、時間軸方向での一定間隔毎に印字ラインＢ1 には文字「Ａ」をキャラクター表示欄２１に、印字ラインＢ2 には文字「Ｂ」をキャラクター表示欄２２に印字するなど、適宜の識別記号を付しながら連続印字することにより行われる。
【００１４】
また、記録紙１４ａには、印字ラインＢ1 ，Ｂ2 により示されている基準電圧値を例えばキャラクター表示欄２１，２２に識別記号を付すたびに基準電圧値表示欄２３にも例えば「１００Ｖ」などというように数値表示される。
【００１５】
なお、図示例においては、記録紙１４ａに二本の印字ラインＢ1 ，Ｂ2 を印字した場合が示されているが、本発明を実施するに際しては、印字ラインＢ1 ，Ｂ2 のうち、いずれか一方の一本の印字ラインを記録紙１４ａに印字出力するものであってもよい。また、基準ラインＬ1 ，Ｌ2 は、基準電圧値のほか、適宜の電気的な基準値を示すものであってもよい。
【００１６】
本発明はこのようにして構成されているので、表示器１３の表示画面１３ａに現に経時的に出力表示されている時系列測定値としての波形データＤと、予め設定されている基準電圧値などを示す基準ラインＬ1 ，Ｌ2 とは、プリンタ１４を介することにより、リアルタイムで記録紙１４ａにも印字波形Ｗおよび印字ラインＢ1 ，Ｂ2 として図示しない格子状区画線とともに連続させて印字出力させることができる。
【００１７】
このため、記録紙１４ａ上の印字波形Ｗと印字ラインＢ1 ，Ｂ2 とをチェックすることにより、例えば予め設定されている基準電圧値を越えた時刻や、その回数、基準電圧値を越えた際の具体的な状況などを極く容易に目視確認することができることになる。
【００１８】
また、ある電圧値を基準として時系列測定値（波形）を目視確認したい場合には、表示器１３の表示画面１３ａの出力表示される基準ラインＬ1 ，Ｌ2 の位置を予め所望に応じて設定しておくことにより、記録紙１４ａにも印字ラインＢ1 ，Ｂ2 として連続して印字出力させることができる。したがって、表示画面１３ａ上のみならず、記録紙１４ａ上でもある電圧値との関係で波形を観測することができるので、計測作業者の要請に柔軟に対応することもできる。
【００１９】
しかも、印字ラインＢ1 ，Ｂ2 は、相互の視別が自在であることから、それぞれが示す基準電圧値を見誤ることもない。この場合、印字出力される印字ラインＢ1 ，Ｂ2 がキャラクター表示欄２１，２２を備えるものであるときは、これらキャラクター表示欄２１，２２のそれぞれにパターンを異にする適宜の識別記号を付すことにより、一定時間間隔毎に現れる識別記号を目視して印字ラインＢ1 と印字ラインＢ2 とを明瞭に識別することができる。
【００２０】
さらに、印字ラインＢ1 ，Ｂ2 により示されている基準電圧値を記録紙１４ａの基準電圧値表示欄２３にも数値表示することができるので、例えば２４時間といった長時間にわたり記録紙１４ａに印字波形Ｗを印字出力した際においても、観測作業者は極く容易に今回設定されている基準電圧値を直ちに読み取ることができるので、計測確認作業をより効率的に行うことができる。
【００２１】
【発明の効果】
以上述べたように本発明によれば、表示画面に出力表示されている波形データと基準ラインとをリアルタイムで記録紙にも印字波形および印字ラインとして連続させて印字出力させることができるので、これをチェックすることにより、例えば予め設定されている基準電圧値を越えた時刻や、その回数、基準電圧値を越えた際の具体的な状況などを極く容易に目視確認することができる。
【００２２】
また、ある電圧値との関係で波形を観察したい場合には、表示画面上の基準ライン位置を所望に応じて設定することにより、記録紙にも印字ラインとして連続して印字出力させることができるので、表示画面上のみならず、記録紙上においてもある電圧値との関係で波形を確認することができ、計測作業者の要請への柔軟な対応を図ることもできる。
【００２３】
さらに、印字ラインは、相互の視別が自在であることから、それぞれが示す基準電圧値を見誤ることもない。
【００２４】
しかも、印字ラインにより示されている基準電圧値を記録紙にも数値表示することができるので、長時間にわたり記録紙に印字波形Ｗを印字出力した際にあっても、観測作業者は今回設定されている基準電圧値を直ちに読み取ることができ、計測確認作業をより効率的に行うことができる。
【図面の簡単な説明】
【図１】  本発明の実施に供される波形記録計の概略構成を示すブロック図。
【図２】  本発明により実現される記録紙への印字状態を表示画面との対応関係のもとで示す説明図。
【図３】  図２（ｂ）に示されている印字出力状態を拡大して詳細に示す説明図。
【図４】  従来手法により実現される記録紙への印字状態を表示画面との対応関係のもとで示す説明図。
【符号の説明】
１１  波形記録計
１２  入力部
１３  表示器
１３ａ  表示画面
１４  プリンタ
１４ａ  記録紙
１５  中央処理手段（ＣＰＵ）
２１，２２  キャラクター表示欄
２３  基準電圧値表示欄
Ｄ  波形データ
Ｌ1 ，Ｌ2   基準ライン
Ｗ  印字波形
Ｂ1 ，Ｂ2   印字ライン
Ｔ  入力端子
【図１】
0003769329.tif 000002
【図２】
0003769329.tif 000003
【図３】
0003769329.tif 000004
【図４】
0003769329.tif 000005